(57)【要約】  本発明は、電子機器の薄型化を可能とすると共に、組み立て及び分解が容易で、良好なシール性能を発揮出来るシール構造体を提供することを目的とする。  このため、電子機器のケース部材に設けられた貫通孔に挿入されるフレキシブル配線基板と前記貫通孔との間隙をシールする電子機器用シール構造体において、前記フレキシブル配線基板にその一部が一体成形された環状のゴム状弾性材製ガスケットと、前記ガスケットを前記ケース部材との間で挟持する押え板とより成る構成とした。
2012008311.tif 000002
【特許請求の範囲】
【請求項１】
電子機器のケース部材（１）に設けられた貫通孔（１０）に挿入されるフレキシブル配線基板（２）と前記貫通孔（１０）との間隙をシールする電子機器用シール構造体において、
前記フレキシブル配線基板（２）にその一部が一体成形された環状のゴム状弾性材製ガスケット（３）と、前記ガスケット（３）を前記ケース部材（１）との間で挟持する押え板（４）とより成る電子機器用シール構造体。
【請求項２】
前記ガスケット（３）が前記フレキシブル配線基板（２）に一体成形された領域においても、前記ガスケット（３）のシール突起部（３０）が、前記フレキシブル配線基板（２）の両面に連続して存在することを特徴とする請求項１記載のシール構造体。
【請求項３】
前記ガスケット（３）が前記フレキシブル配線基板（２）に一体成形された領域において、前記ガスケット（３）から伸びる薄肉部（３１）が前記フレキシブル配線基板（２）に一体成形されていることを特徴とする請求項１または２記載のシール構造体。
【請求項４】
前記薄肉部（３１）には、前記押え板（４）若しくは前記ケース部材（１）に設けた窪み部（４１）、（１２１）と係合する位置決め用突起（３２）が設けられていることを特徴とする請求項３記載のシール構造体。
【請求項５】
前記押え板（４）が、前記ケース部材（１）の外側に存在することを特徴とする請求項１〜４いずれか一項請求項記載のシール構造体。
【請求項６】
前記押え板（４）が、前記ケース部材（１）の内側に存在することを特徴とする請求項１〜４いずれか一項請求項記載のシール構造体。
【請求項７】
前記ケース部材（１）が、スライド式携帯端末の液晶側のケース部材（１１）とキーパッド側のケース部材（１２）とより構成されていることを特徴とする請求項１〜７いずれか一項請求項記載のシール構造体。
【発明の詳細な説明】
【技術分野】
【０００１】
本発明は、シール構造体に関するものである。
更に詳しくは、携帯端末、ＰＤＡ、パソコン等の電子機器のケース部材を貫通して伸びる配線体の防水構造を提供するシール構造体に関する。
【背景技術】
【０００２】
初期の携帯端末は、縦に長い板状のものが主流であったが、最近は携帯電話機のケース部材を上ケース部材と下ケース部材に分けて重ね合わせ、その一辺に設けた回転軸を中心にして開閉する折り畳み式の携帯電話機、上ケース部材と下ケース部材に分けて重ね合わせた携帯電話機のケース部材の、重ね合わせ面に垂直に回転軸を設け、この回転軸を中心にして上ケース部材を下ケース部材に対して１８０度回転させて伸張させる回転式がある。【０００３】
また、上ケース部材と下ケース部材に分けて重ね合わせた携帯電話機のケース部材の、重ね合わせ面にスライドレールを設けたり、トンネル構造にして、下ケース部材に対して上ケース部材をスライドさせるスライド式などの方式がある。【０００４】
しかし、従来のスライド式携帯電話機は、液体の浸入に弱いという問題点があった。
特に、上ケース部材と下ケース部材とを接続するためのフレキシブル配線基板を通じて液体がケース部材内部に伝わってコネクタに付着すると電気的障害の原因となるという問題点があった。【０００５】
そこで、図９に示す様な、電子機器のケース部材の貫通孔をシールする構造体として、フレキシブル配線基板２００にブッシュ形状のシール部材３００、３００を一体成形したガスケットを使用する態様が知られている。（特許文献１、２）【０００６】
しかし、スライド式携帯端末のスライド部のように、電子機器内で２つのケース部材間の薄い空間で、ケース部材と配線部材とをシールする必要があるが、ブッシュ形状のシール部材３００、３００を使用した場合、シール部材３００、３００自体の断面積が相当大きくならざるを得ない為、このシール部材３００、３００を嵌着固定するスライド式携帯端末のケース部材の厚さが厚く成り、スライド式携帯端末のスライド部のような小さな隙間に配置するのが困難であった。【０００７】
この為、この種シール構造が、スライド式携帯端末の薄型化の阻害要因になっていた。
そこで、平板状の配線部材が挿通されたスペーサ部材と、配線部材及びスペーサ部材をシールする被覆体とを備え、この被覆体は、スペーサ部材に対向する蓋部材と、配線部材の一部を埋め込みつつ、スペーサ部材と蓋部材との間隙を塞ぐ接着剤層とによって構成し、配線部材とスペーサ部材との段差を接着剤層によって埋める構成のシール構造体が提案された。（特許文献３）【０００８】
しかし、携帯端末毎に接着剤を使用して隙間を埋める手法の為、施工に手間と時間がかかると共に、携帯端末間で品質のバラツキが惹起した。
更に、配線材とケース部材の間に生じる隙間を接着剤等で埋める方法は、分解、再度の組み立てが困難となる問題を招来した。
【先行技術文献】
【特許文献】
【０００９】
【特許文献１】登録実用新案第３１２７０７１号公報
【特許文献２】再公表２００６−０９５３８２号公報
【特許文献３】特開２０１０−１３５７４０号公報
【発明の概要】
【発明が解決しようとする課題】
【００１０】
本発明は以上の点に鑑みて、電子機器の薄型化を可能とすると共に、組み立て及び分解が容易で、良好なシール性能を発揮出来るシール構造体を提供することを目的とする。
【課題を解決するための手段】
【００１１】
上記目的を達成するために本発明にあっては、電子機器のケース部材に設けられた貫通孔に挿入されるフレキシブル配線基板と前記貫通孔との間隙をシールする電子機器用シール構造体において、
前記フレキシブル配線基板にその一部が一体成形された環状のゴム状弾性材製ガスケットと、前記ガスケットを前記ケース部材との間で挟持する押え板とより成る構成としたことを特徴とする。
【発明の効果】
【００１２】
本発明は、以下に記載されるような効果を奏する。
請求項１記載の発明のシール構造体によれば、電子機器の薄型化を可能とすると共に、組み立て及び分解が容易で、良好なシール性能を発揮出来る。
また、請求項２記載の発明のシール構造体によれば、ガスケットに発生する面圧が、全面で均一となるため、密封性が良好で、防水性能を高めることがきる。【００１３】
更に、請求項３記載の発明のシール構造体によれば、ガスケットがフレキシブル配線基板から剥離する事を効果的に阻止出来る為、良好なシール性能を発揮出来る。
更に、請求項４記載の発明のシール構造体によれば、組み立てが容易で、ガスケットの位置決めが精度良く行えるため、良好なシール性能を発揮出来る。【００１４】
更に、請求項５記載の発明のシール構造体によれば、組み立て及び分解を容易に行うことが出来る。
更に、請求項６記載の発明のシール構造体によれば、電子機器の薄型化をより効果的行う事が出来る。
更に、請求項７記載の発明のシール構造体によれば、スライド式携帯端末の液晶側のケース部材とキーパッド側のケース部材とに使用する事により、スライド式携帯端末の薄型化を可能とする。
【図面の簡単な説明】
【００１５】
【図１】本発明のシール構造体が適用される電子機器の外観図。
【図２】図１のＡ−Ａ断面図。
【図３】図２の部分拡大図。
【図４】本発明のシール構造体を構成するガスケットがフレキシブル配線基板に一体成形された状態を示した平面図。
【図５】図４のＢ−Ｂ断面図。
【図６】押え板がケース部材の内部に存在する態様を図２と同様に示した図。
【図７】図６に使用したガスケットがフレキシブル配線基板に一体成形された状態を示した平面図。
【図８】２本のガスケットの非接着部位がフレキシブル配線基板の同じ表面側に存在する態様を図４と同様に示した平面図。
【図９】従来技術に係るシール構造体に使用されるブッシュ形状のシール部材が、フレキシブル配線基板部材に一体成形された態様を示した平面図。
【発明を実施するための形態】
【００１６】
以下、本発明を実施するための形態について説明する。
図１乃至図８に基づき発明を実施するための最良の形態について説明する。
【００１７】
本発明のシール構造体が適用される電子機器は、図１に示す様に、スライド式携帯端末である電子機器のケース部材１が、液晶側のケース部材１１と、キーパッド側のケース部材１２とより構成されている。
【００１８】
そして、図２に示す様に、この両ケース部材１１、１２には、フレキシブル配線基板２が挿入される貫通孔１０が各々設けられている。
また、本発明のシール構造体は、フレキシブル配線基板２と貫通孔１０との間隙をシールする為に、フレキシブル配線基板２にその一部が一体成形された環状のゴム状弾性材製ガスケット３と、ガスケット３をケース部材１との間で挟持する押え板４とより成る構成を有している。
【００１９】
このガスケット３は、図４に示す様に、２本の環状のゴム状弾性材製ガスケット３、３の各々１ヶ所が、フレキシブル配線基板２の表面に一体成形されており、図５に示す様に、ガスケット３がフレキシブル配線基板２に一体成形された領域においても、ガスケット３のシール突起部３０が、フレキシブル配線基板２の両面に連続して存在する構成となっている。
また、図４において、ガスケット３のフレキシブル配線基板２と重なって見える部分の一方は、フレキシブル配線基板２とは非接着の状態の非接着部位３３となっている。
この為、フレキシブル配線基板２が貫通孔１０に挿入された状態で、ガスケット３をケース部材１と押え板４との間で挟持することが出来る。
更に、ガスケット３に発生する面圧が、ガスケット３がフレキシブル配線基板２に一体成形された領域を含め、全面で均一となるため、密封性が良好で、防水性能を高めることがきる。
【００２０】
本実施態様では、ガスケット３の形状をＯ−リング形状としたが、シール突起部３０が先鋭なリップ形状とする事も出来る。
また、一方のガスケット３の非接着部位３３（図上下側）は、図上の表面側に位置させる構成とし、他方のガスケット３の非接着部位３３（図上上側）は、破線で示す様に図上の裏面側に位置させ、フレキシブル配線基板２が環状ガスケット３を貫通する形としたが、図８に示す様に、両ガスケット３、３の非接着部位３３、３３が、共に図上の表面側に位置させる構成としても良い。
【００２１】
更に、図５に示す様に、ガスケット３は、フレキシブル配線基板２に一体成形された領域において、ガスケット３から、フレキシブル配線基板２の長手方向に伸びる、バリ状の薄肉部３１を備えている。
この為、ガスケット３が、フレキシブル配線基板２から剥離する事を効果的に阻止出来、良好なシール性能を発揮出来る。
【００２２】
また、図３に示す様に、この薄肉部３１には、押え板４に設けた窪み部４１及びケース部材１に設けた窪み部（１２１）、（１２１）と係合する位置決め用突起３２が設けられている。
この位置決め用突起３２は、キーパッド側ケース部材１２と接する側（図上下方）には２本、押え板４と接する側（図上上方）には１本設ける態様としたが、一本以上が何れかの側に存在すれば良い。
この事により、組み立てが容易で、ガスケット３の位置決めが精度良く行えるため、良好なシール性能を発揮出来る。
更に、図３に示す様に、ガスケット３のシール突起部３０は、キーパッド側ケース部材１２と押え板４との間で押圧され、平らな形に変形させられる。
【００２３】
押え板４は、ガスケット３をケース部材１との間で圧着した状態で挟持する為に、ネジ手段や、スナップ手段等によりケース部材１側に固着される。
そして、図２に示す実施態様に於いては、押え板４は、ケース部材１の外側からガスケット３を挟持する態様となっている。
この為、組み立て及び分解を容易に行うことが出来る。
【００２４】
また、電子機器の薄型化をより効果的行う為に、図６に示す様に、押え板４を、ケース部材１の内側からガスケット３を挟持する態様としても良い。
このガスケット３は、図７に示す様な構成となっている。
図４に示した態様と相違する点は、２本の環状のゴム状弾性材製ガスケット３、３がフレキシブル配線基板２の表面に一体成形されている箇所が、相互に離れた位置（図上上側と下側に離れた位置）に存在する点である。
そして、図４の態様と同様に、ガスケット３のフレキシブル配線基板２と重なって見える部分の一方は、フレキシブル配線基板２とは非接着の状態の非接着部位３３、３３となっている。この非接着部位３３、３３は、図４に示した態様と相違し、相互に近接した位置に存在する。
この為、図４の態様と同様に、フレキシブル配線基板２が貫通孔１０に挿入された状態で、ガスケット３をケース部材１と押え板４との間で挟持することが出来る。
【００２５】
ガスケット３の材質は、ウレタンゴム、シリコーンゴム、フッ素ゴム、天然ゴム等の各種のゴム状弾性体が使用出来るが、接着性・成形性の観点から、自己接着性液状ゴムが好ましい。
また、押え板４の材質は、金属板、樹脂板等から適宜選択して用いられるものであり、予めガスケット３と一体化しておくことも可能である。
【００２６】
また、本発明は上述の発明を実施するための最良の形態に限らず、本発明の要旨を逸脱することなくその他種々の構成を採り得ることはもちろんである。
【符号の説明】
【００２７】
１    電子機器のケース部材
２    フレキシブル配線基板
３    ガスケット
４    押え板
１０  貫通孔
１１  液晶側ケース部材
１２  キーパッド側ケース部材
３０  シール突起部
３１  薄肉部
３２  位置決め用突起
３３  非接着部位
４１  窪み部
１２１窪み部
【図１】
2012008311.tif 000003
【図２】
2012008311.tif 000004
【図３】
2012008311.tif 000005
【図４】
2012008311.tif 000006
【図５】
2012008311.tif 000007
【図６】
2012008311.tif 000008
【図７】
2012008311.tif 000009
【図８】
2012008311.tif 000010
【図９】
2012008311.tif 000011
【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
電子機器のケース部材（１）に設けられた貫通孔（１０）に挿入されるフレキシブル配線基板（２）と前記貫通孔（１０）との間隙をシールする電子機器用シール構造体において、前記フレキシブル配線基板（２）にその一部が一体成形された環状のゴム状弾性材製ガスケット（３）と、前記ゴム状弾性材製ガスケット（３）を前記ケース部材（１）との間で挟持する押え板（４）とより成ると共に、前記ゴム状弾性材製ガスケット（３）が前記フレキシブル配線基板（２）に一体成形された領域においても、前記ゴム状弾性材製ガスケット（３）のシール突起部（３０）が、前記フレキシブル配線基板（２）の両面に連続して存在することを特徴とする電子機器用シール構造体。
【請求項２】
前記ゴム状弾性材製ガスケット（３）が前記フレキシブル配線基板（２）に一体成形された領域において、前記ゴム状弾性材製ガスケット（３）から伸びる薄肉部（３１）が前記フレキシブル配線基板（２）に一体成形されていることを特徴とする請求項１記載の電子機器用シール構造体。
【請求項３】
前記薄肉部（３１）には、前記押え板（４）若しくは前記ケース部材（１）に設けた窪み部（４１）、（１２１）と係合する位置決め用突起（３２）が設けられていることを特徴とする請求項２記載の電子機器用シール構造体。
【手続補正２】
【補正対象書類名】明細書
【補正対象項目名】００１２
【補正方法】変更
【補正の内容】
【００１２】
本発明は、以下に記載されるような効果を奏する。
請求項１記載の発明の電子機器用シール構造体によれば、電子機器の薄型化を可能とすると共に、組み立て及び分解が容易で、良好なシール性能を発揮出来、更に、ガスケットに発生する面圧が、全面で均一となるため、密封性が良好で、防水性能を高めることがきる。
また、請求項２記載の発明の電子機器用シール構造体によれば、ガスケットがフレキシブル配線基板から剥離する事を効果的に阻止出来る為、良好なシール性能を発揮出来る。
【手続補正３】
【補正対象書類名】明細書
【補正対象項目名】００１３
【補正方法】変更
【補正の内容】
【００１３】
更に、請求項３記載の発明の電子機器用シール構造体によれば、組み立てが容易で、ガスケットの位置決めが精度良く行えるため、良好なシール性能を発揮出来る。
【手続補正４】
【補正対象書類名】明細書
【補正対象項目名】００１４
【補正方法】削除
【補正の内容】
【国際調査報告】
2012008311.tif 000012
2012008311.tif 000013